(57)【要約】【課題】音の周波数、音量を、視覚的に認識し得る聴覚障害者用ヘッドマウントディスプレイ装置の提供を課題とする。【解決手段】従来の聴覚障害者用ヘッドマウントディスプレイ装置には言語変換があり、完全に言葉を認識したうえで文字にする必要がある。また、知り得る情報は文字と音源方向のみである。そこで本発明は、言語変換が無く、周波数、音量を知り得る小型のソノグラフとメーターを搭載し、視覚的に認識し得る聴覚障害者用ヘッドマウントディスプレイ装置を実現する。電子回路基板付き眼鏡フレーム１に取り付けられたマイク２の信号を、回路内で表示用の周波数帯毎の信号と音量信号に変換し、眼鏡レンズ型ディスプレイ３のソノグラフ表示ＬＥＤ４と音量表示メーター５に出力する手段を左右に備えた構成で実現できる。【選択図】図１
2012185461.tif 000002
【特許請求の範囲】
【請求項１】
眼鏡型装置または眼鏡に着脱可能な装置に取り付けた一または複数のマイクの出力信号から得た周波数情報、音量情報が、視野の一部において表示される表示手段を特徴とする聴覚障害者用ヘッドマウントディスプレイ装置。
【請求項２】
請求項１に記載の聴覚障害者用ヘッドマウントディスプレイ装置において、前記周波数情報、音量情報の表示手段が、色またはメーターの振れによる表示であることを特徴とする聴覚障害者用ヘッドマウントディスプレイ装置。
【請求項３】
請求項１または請求項２に記載の聴覚障害者用ヘッドマウントディスプレイ装置において、前記周波数情報の表示手段としてソノグラフが使用されることを特徴とする聴覚障害者用ヘッドマウントディスプレイ装置。
【発明の詳細な説明】
【技術分野】
【０００１】  本発明は、眼鏡型ヘッドマウントディスプレイ装置に関し、特に聴覚障害者が、周囲音を言語に変換しない容易な手段によって視覚的に認識する聴覚障害者用ノンバーバル変換式ヘッドマウントディスプレイ装置に関するものである。
【背景技術】
【０００２】  従来、音を言語に変換し文字情報として視野内に表示し、また、マイクのレベルより音源方向の情報を表示する眼鏡型の聴覚障害者用ヘッドマウントディスプレイ装置が知られている（例えば、特許文献１参照）。このような聴覚障害者用ヘッドマウントディスプレイ装置による、音の文字情報表示、音源方向表示が考えられている。
【先行技術文献】
【特許文献】
【０００３】
【特許文献１】特開２００７−３３４１４９号公報
【発明の概要】
【発明が解決しようとする課題】
【０００４】  しかしながら、上記従来の聴覚障害者用ヘッドマウントディスプレイ装置には言語変換があり、完全に言葉を認識したうえで文字にする必要がある。また、知り得る情報は文字と音源方向のみである。【０００５】  一般に多くの音を区別する判定は、周波数、音量により行うことができるため、周波数、音量の表示があれば、聴覚障害者が様々な音を認識することに役立つ。特に音の基準を得られることが重要である。音の認識は発話、発話練習の基準となる。【０００６】  そこで本発明は、簡易で実用しやすい、言語変換が無く、周波数、音量を知り得る小型のソノグラフとメーターを搭載した聴覚障害者用ヘッドマウントディスプレイ装置の提供を課題とする。
【課題を解決するための手段】
【０００７】  以上の課題を解決するために、請求項１に記載の発明に係る聴覚障害者用ヘッドマウントディスプレイ装置は、電子回路基板付き眼鏡フレーム（１）に取り付けられたマイク（２）の信号を、回路内で表示用の周波数帯毎の信号と音量信号に変換し、眼鏡レンズ型ディスプレイ（３）のレンズ前方フレーム側端の全体視野の一部にあるソノグラフ表示ＬＥＤ（４）と音量表示メーター（５）に出力する手段を左右に備えて構成される。【０００８】  このように構成された聴覚障害者用ヘッドマウントディスプレイ装置によれば、音を周波数変化やメーターの振れとして認識可能である。【０００９】  本発明において、音声認識を含む音の認識手段は文字情報出力によるものを使用せず、ＬＥＤとメーターの振れを認識手段とする。【００１０】  本発明において、マイク信号のレベルに基づき音源の方向を特定する手段は備えない。【００１１】  本発明において、ソノグラフ表示ＬＥＤ４と音量表示メーター５は半透明の液晶を利用し表示、投影し表示、改良コンタクトレンズにより表示等の全体視野の一部に表示する手段で構成してもよい。
【発明の効果】
【００１２】  本発明によれば、マイクから入力された音の周波数、音量の様子を聴覚障害者が簡易に理解できる。一般に多くの音を区別する判定は、周波数、音量により行うことができるため、聴覚障害者が様々な音を認識することに役立つ。特に音の基準を得られることが重要である。音の認識は発話、発話練習の基準とすることができる。
【図面の簡単な説明】
【００１３】
【図１】本発明の一実施形態を示す概略構成の斜視図である。
【図２】本発明の出力部を外側から目立たないようにカバーした場合の一実施形態を示す概略構成の斜視図である。
【図３】本発明の一実施形態を示す回路構成のブロック図である。
【図４】装着者側から見た眼鏡レンズ型ディスプレイ３を示した図である。
【図５】装着者側から見た眼鏡レンズ型ディスプレイ３の表示例を示した図である。
【発明を実施するための形態】
【００１４】  以下、本発明を適用した聴覚障害者用ヘッドマウントディスプレイ装置の一実施形態について、図面を参照しながら説明する。
図１は、本発明の一実施形態を示す概略構成の斜視図である。図１に示すように、電子回路基板付き眼鏡フレーム１（マイク２が取り付けられている）、眼鏡レンズ型ディスプレイ３（ソノグラフ表示ＬＥＤ４と音量表示メーター５が取り付けられている）を左右に備えて構成されている。
【００１５】  以上の構成において、電子回路基板付き眼鏡フレーム１と眼鏡レンズ型ディスプレイ３は、一般的な眼鏡の外観を有しているが、上記のマイク２、ソノグラフ表示ＬＥＤ４、音量表示メーター５が取り付けられた特殊な構造となっている。電子回路基板付き眼鏡フレーム１の電子回路基板には、音の変換、表示制御のための回路（電池、抵抗、コンデンサ等を接続した電子回路）、マイク２が取り付けられていて、眼鏡レンズ型ディスプレイ３のソノグラフ表示ＬＥＤ４と音量表示メーター５へ電気的に接続されている。中央を境にして左右対象な構造である。
【００１６】  使用者がこの一実施形態を装着した状態では、眼鏡レンズ型ディスプレイ３を通して使用者が見る視野の一部に、外側端のソノグラフ表示ＬＥＤ４と音量表示メーター５が見える。これにより外界への視覚を持ち続けながら、音の周波数、音量についての情報を知ることができる。
【００１７】  眼鏡レンズ型ディスプレイ３のソノグラフ表示ＬＥＤ４と音量表示メーター５を外側から目立たないようにカバーする。図２は本発明の出力部（眼鏡レンズ型ディスプレイ３のソノグラフ表示ＬＥＤ４と音量表示メーター５）を外側から目立たないようにカバーした概略構成の斜視図である。
【００１８】  次に図３は、本実施形態の回路構成を示すブロック図である。図３においては、マイク２（Ｍ）、分岐増幅部６、バンドパスフィルタ部７、スペクトル変換部８、ＬＥＤ出力部９、メーター出力部１０が示される。これらの動作のための電源として、例えば、繰り返し充電可能な小型の電池、太陽電池を用いることができる。マイク２（Ｍ）のみ回路部品が単体のため記号を用いて表した。また、入力部がわかりやすいようにマイク２（Ｍ）の記号にはＭの文字を付加した。
【００１９】  分岐増幅部６は、マイク２（Ｍ）からの信号を分岐し増幅する。
【００２０】  バンドパスフィルタ部７は、バンドパスフィルタによって特定周波数帯の信号を取り出す。
【００２１】  スペクトル変換部８は、特定周波数帯の信号をスペクトル変換する。
【００２２】  ＬＥＤ出力部９は、ソノグラフ表示ＬＥＤ４への信号出力の制御を行う。
【００２３】  メーター出力部１０は、音量表示メーター５への信号出力の制御を行う。
【００２４】  ＬＥＤ出力部９から、ユーザーインターフェースであるソノグラフ表示ＬＥＤ４へ信号を渡す。
【００２５】  メーター出力部１０から、ユーザーインターフェースである音量表示メーター５へ信号を渡す。
【００２６】  これらにより、ソノグラフ表示ＬＥＤ４と音量表示メーター５が動作する。
【００２７】  次に図４は、装着者側から見た眼鏡レンズ型ディスプレイ３を示した図である。このような眼鏡レンズ型ディスプレイ３の表示部により、音の周波数、音量についての情報を知ることができる。図５は装着者側から見た眼鏡レンズ型ディスプレイ３の表示例を示した図である。ＬＥＤの表示色は赤１色のみである。並んだＬＥＤの点灯が周波数によって、メーターの振れが音量によって、それぞれ変化している。
【００２８】  以上説明した実施形態は、上記の構成に限定されることはなく、多様な変形例がある。上記の実施形態では、左右に各１個のマイク２（Ｍ）を備えた形態について説明したが、設置するマイクの個数は自在に変更可能である。マイクの個数を増やすことにより、高精度にすること、分岐させない回路にすること等ができる。
【００２９】  また、上記の実施形態では、眼鏡型ヘッドマウントディスプレイ装置として一体化した構成を説明したが、眼鏡とヘッドマウントディスプレイ装置を別体として着脱自在に構成してもよい。例えば、一般的な眼鏡へ着脱自在な構成とすることができる。
【００３０】  また、上記の実施形態おいて、眼鏡レンズ型ディスプレイ３のソノグラフ表示ＬＥＤ４と音量表示メーター５の部分を、半透明の液晶の利用により表示、投影し表示、改良コンタクトレンズにより表示等の全体視野の一部に表示する手段で構成してもよい。
【００３１】  また、上記の実施形態おいて、眼鏡レンズ型ディスプレイ３のソノグラフ表示ＬＥＤ４の表示色は、多様な色から選択し構成してもよい。
【符号の説明】
【００３２】１  電子回路基板付き眼鏡フレーム
２  マイク
３  眼鏡レンズ型ディスプレイ
４  ソノグラフ表示ＬＥＤ
５  音量表示メーター
６  分岐増幅部
７  バンドパスフィルタ部
８  スペクトル変換部
９  ＬＥＤ出力部
１０  メーター出力部
【図１】
2012185461.tif 000003
【図２】
2012185461.tif 000004
【図３】
2012185461.tif 000005
【図４】
2012185461.tif 000006
【図５】
2012185461.tif 000007